(57)【要約】【課題】音声接続型Ｔ．３８ゲートウェイとＶｏＩＰゲートウィとの両方に対応するネットワーク通信装置を提供すること。【解決手段】  イントラネット１内のＳＩＰサーバー上に設置されたネットワーク通信装置３であって、ゲートウェイ４（５）とのセッション確立時に、ゲートウェイ４からＴ．３８方式を含む独自方式の通信の指定を受けた場合には、ファクシミリ装置２とゲートウェイ４とを独自方式によって接続し、ゲートウェイ５から独自方式の通信の指定を受けない場合には、ファクシミリ装置２とゲートウェイ５とをＧ７１１方式を含むＶｏＩＰによって接続するネットワーク通信装置３を提供する。【選択図】図１
2017158036.tif 000002
【特許請求の範囲】
【請求項１】
イントラネット内のＳＩＰサーバー上に設置され、前記イントラネット内の第一のファクシミリ装置と前記イントラネット外の第二のファクシミリ装置とのファクシミリ送受信を仲介するネットワーク通信装置であって、
前記イントラネットに接続され前記第二のファクシミリ装置と通信するゲートウェイとのセッション確立時に、
前記ゲートウェイからＴ．３８方式を含む独自方式の通信の指定を受けた場合には、前記第一のファクシミリ装置と前記ゲートウェイとを前記独自方式によって接続し、
前記ゲートウェイからＴ．３８方式を含む独自方式の通信の指定を受けない場合には、前記第一のファクシミリ装置と前記ゲートウェイとをＧ７１１方式を含むＶｏＩＰによって接続する
ことを特徴とするネットワーク通信装置。
【請求項２】
前記セッション確立時より前の段階においては、前記第一のファクシミリ装置と前記ＶｏＩＰによって通信することを特徴とする、請求項１に記載のネットワーク通信装置。
【請求項３】
前記第二のファクシミリ装置のプロパティ情報を保持し、前記第一のファクシミリ装置から前記第二のファクシミリ装置への送信に際しては、前記プロパティ情報に基づいて前記独自方式及びＶｏＩＰのいずれによって接続するかを判断することを特徴とする、請求項１又は２に記載のネットワーク通信装置。
【請求項４】
前記ゲートウェイを介さずに前記第二のファクシミリ装置との通信を行い、
前記第二のファクシミリ装置が前記独自方式の通信に対応している場合には、前記第一のファクシミリ装置と前記第二のファクシミリ装置とを前記独自方式によって接続することを特徴とする、請求項３に記載のネットワーク通信装置。
【発明の詳細な説明】
【技術分野】
【０００１】
本発明は、ファクシミリの送受信を行うネットワーク通信装置に関する。
【背景技術】
【０００２】
リアルタイムで送受信を行うインターネットファクシミリ送受信において、呼を接続する（セッションを確立する）手順は、必ずしも標準化されていない。ＪＴ−Ｈ．３２３等の標準が制定されているが、各社の製品は必ずしもかかる標準に準拠していない。
【０００３】
ここで、セッションの確立は、ＩＰ−ファクシミリ装置と送受信相手のファクシミリ装置との間で直接に行われるよりも、接続を仲介するゲートウェイ機を介することが多い。すなわち、ＩＰ−ファクシミリ装置機はゲートウェイ機の仕様に合わせてゲートウェイ機と通信し、ゲートウェイ機が例えばＧ３標準等の送受信相手のファックス機と通信し、結果としてＩＰ−ファクシミリ装置と送受信相手のファクシミリ装置とのセッションの確立が行われる。
【０００４】
ゲートウェイ機が提供する仕様としては、音声通信を行わずにファクシミリを処理するＩＴＵ−Ｔ勧告のＴ．３８、音声符号化によるＧ７１１が広く用いられている。また、Ｔ．３８によるゲートウェイであっても、セッションの確立までを音声信号（Ｇ７１１を含む）によって実行し、接続後にＴ．３８による通信を実行するものがある（例えば米国ＣＩＳＣＯ社の製品：以下「音声接続型Ｔ．３８ゲートウェイ」と言う）。
【０００５】
相手先の仕様に対応してファクシミリの送受信を行うネットワーク通信装置としては、例えば以下のものが知られていた。特許文献１には、相手先に基づいてＴ．３８等の送受信方式を切換えるファクシミリ装置が開示されている。また、特許文献２には音声接続型Ｔ．３８ゲートウェイを介するか否かを判定し、音声接続型Ｔ．３８ゲートウェイを介する場合には音声信号によってセッションを確立し、セッション確立後にＴ．３８による「送受信を実行するネットワーク通信装置が開示されている。
【０００６】
ＩＰ−ファクシミリ装置は、それ自身が相手方と通信するのみでなく、ＳＩＰ（Session Initiation Protocol）サーバーを介して通信することも多い。ＳＩＰサーバーにおいてファックス送受信を制御するソフトウエアが動作し、ネットワーク通信装置が形成されるものである。
【先行技術文献】
【特許文献】
【０００７】
【特許文献１】特開２００３−１２５１５２号公報
【特許文献２】特開２００７−３２４８５７号公報
【発明の概要】
【発明が解決しようとする課題】
【０００８】
ＳＩＰサーバーを利用する場合には、ＳＩＰサーバーを含むイントラネットが公衆電話網に接続され、イントラネットには音声接続型Ｔ．３８ゲートウェイとＶｏＩＰ（Voice over Internet Protocol）ゲートウィとの両方が存在する場合もある。ＳＩＰサーバーにおいて動作するネットワーク通信装置は、音声接続型Ｔ．３８ゲートウェイとＶｏＩＰゲートウィとの両方に対応することが望まれる。
【０００９】
音声信号による通信は、音声接続型Ｔ．３８ゲートウェイに限らず、ＶｏＩＰゲートウィについても行われる。すなわち、ネットワーク通信装置は、音声信号によってセッションを確立した後、音声接続型Ｔ．３８ゲートウェイについてはＴ．３８による通信に切り替え、ＶｏＩＰゲートウェイについては音声信号による通信を継続することが望ましい。
【００１０】
特許文献１に記載のファクシミリ装置は音声接続型Ｔ．３８ゲートウェイに対応せず（少なくともその旨の開示はなく）、特許文献２に記載のネットワーク通信装置はＶｏＩＰゲートウェイと通信するために音声信号による通信を継続するものではない。
【００１１】
本発明は、音声接続型Ｔ．３８ゲートウェイとＶｏＩＰゲートウィとの両方に対応するネットワーク通信装置を提供することを課題とする。
【課題を解決するための手段】
【００１２】
本発明のネットワーク通信装置は、
イントラネット内のＳＩＰサーバー上に設置され、前記イントラネット内の第一のファクシミリ装置と前記イントラネット外の第二のファクシミリ装置とのファクシミリ送受信を仲介するネットワーク通信装置であって、
前記イントラネットに接続され前記第二のファクシミリ装置と通信するゲートウェイとのセッション確立時に、
前記ゲートウェイからＴ．３８方式を含む独自方式の通信の指定を受けた場合には、前記第一のファクシミリ装置と前記ゲートウェイとを前記独自方式によって接続し、
前記ゲートウェイからＴ．３８方式を含む独自方式の通信の指定を受けない場合には、前記第一のファクシミリ装置と前記ゲートウェイとをＧ７１１方式を含むＶｏＩＰによって接続する
ことを特徴とする。
【００１３】
この特徴によれば、音声接続型Ｔ．３８ゲートウェイとＶｏＩＰゲートウィとの両方に対応することができる。
【００１４】
本発明のネットワーク通信装置は、
前記セッション確立時より前の段階においては、前記第一のファクシミリ装置と前記ＶｏＩＰによって通信することを特徴とする。
【００１５】
この特徴によれば、音声接続型Ｔ．３８ゲートウェイのセッション確立を音声通信によって行うことができる。
【００１６】
本発明のネットワーク通信装置は、
前記第二のファクシミリ装置のプロパティ情報を保持し、前記第一のファクシミリ装置から前記第二のファクシミリ装置への送信に際しては、前記プロパティ情報に基づいて前記独自方式及びＶｏＩＰのいずれによって接続するかを判断することを特徴とする。
【００１７】
この特徴によれば、相手先（第二のファクシミリ装置）によって送受信方式を切換えることができる。
【００１８】
本発明のネットワーク通信装置は、
前記ゲートウェイを介さずに前記第二のファクシミリ装置との通信を行い、
前記第二のファクシミリ装置が前記独自方式の通信に対応している場合には、前記第一のファクシミリ装置と前記第二のファクシミリ装置とを前記独自方式によって接続することを特徴とする。
【００１９】
この特徴によれば、ゲートウェイを介さずに外部の独自方式のファクシミリ装置（Ｔ．３８−ファクシミリ装置を含む）と送受信を行うことができる。「独自方式」とは、ファクシミリ装置によって定まる通信方式を言い、標準化され広く用いられる方式をも含む。
【発明の効果】
【００２０】
本発明のネットワーク通信装置によれば、音声接続型Ｔ．３８ゲートウェイとＶｏＩＰゲートウィとの両方に対応することが可能となる。
【図面の簡単な説明】
【００２１】
【図１】図１は、イントラネット、ゲートウェイ及びファクシミリ装置の構成を示す図である。
【図２】図２は、音声接続型Ｔ．３８ゲートウェイを介して発信する場合のファクシミリの処理を示すシーケンス図である。
【図３】図３は、ＶｏＩＰゲートウェイを介して発信する場合のファクシミリの処理を示すシーケンス図である。
【図４】図４は、ゲートウェイを介さずにＴ．３８−ファクシミリ装置に発信する場合のファクシミリの処理を示すシーケンス図である。
【図５】図５は、音声接続型Ｔ．３８ゲートウェイを介して受信する場合のファクシミリの処理を示すシーケンス図である。
【発明を実施するための形態】
【００２２】
図１は、イントラネット、ゲートウェイ及びファクシミリ装置の構成を示す図である。イントラネット１には、ＩＰ−ファクシミリ装置２、ＳＩＰサーバー３、音声接続型Ｔ．３８ゲートウェイ４及びＶｏＩＰ（Voice over Internet Protocol）ゲートウェイ５が設けられている。
【００２３】
ＩＰ−ファクシミリ装置２とＳＩＰサーバー３との間は、Ｔ．３８及びＧ７１１の双方の通信が可能である。
【００２４】
ＳＩＰサーバー３上において、ネットワーク通信装置が動作し、ＩＰ−ファクシミリ装置２とＳＩＰサーバー３との通信、音声接続型Ｔ．３８ゲートウェイ４又はＶｏＩＰゲートウェイ５とＳＩＰサーバー３との通信を含む通信を制御する。
ＳＩＰサーバー３と音声接続型Ｔ．３８ゲートウェイ４との間は、セッション確立までは（かっこ書きで示す）Ｇ７１１で、その後はＴ．３８で通信する。
【００２５】
ＳＩＰサーバー３とＶｏＩＰゲートウェイ５との間はＧ７１１で通信する。
【００２６】
音声接続型Ｔ．３８ゲートウェイ４及びＶｏＩＰゲートウェイ５は、公衆電話網６に接続され、Ｇ３−ファクシミリ装置７との送受信を行う。
【００２７】
また、イントラネット外のＴ．３８−ファクシミリ装置８とは、公衆電話網６を介さずにネットワークを介して通信することもできる。
【００２８】
なお、「Ｔ．３８」及び「Ｇ７１１」は現時点において標準的に用いられている規格である。規格は将来的に変更され得るが、いかなる規格においても本発明は「Ｔ．３８」及び「Ｇ７１１」をその規格に置換して適用可能である。本発明の技術的範囲は「Ｔ．３８」及び「Ｇ７１１」に限定されない。特に、「Ｔ．３８」については、ファクシミリ装置によって定まる多様な独自方式のいずれとも置換して対応可能である。
【００２９】
以下、ファクシミリの処理手順をシーケンス図により説明する。
【００３０】
図２は、音声接続型Ｔ．３８ゲートウェイを介して発信する場合のファクシミリの処理を示すシーケンス図である。なお、図において「／」の後に「ＳＩＰ」「ＲＴＰ」「Ｔ．３８」として、それぞれ、ＳＩＰサーバー経由の送受信、ＲＴＰ（Real-time transport protocol）による直接の送受信、Ｔ．３８による直接の送受信を表す（図３、図４、図５において同じ）。
【００３１】
まず、発信するＩＰ−ファクシミリ装置２がＳＩＰサーバー３を介して音声（Ｇ７１１）によるInvite信号を音声接続型Ｔ．３８ゲートウェイ４に送信する。音声接続型Ｔ．３８ゲートウェイ４がInviteを受ける信号（200 OK）を返し、ＩＰ−ファクシミリ装置２が確認信号（ACK）を送信する。
【００３２】
次に、ＩＰ−ファクシミリ装置２が音声（Ｇ７１１）によるＦＡＸ発信信号（CNG）を音声接続型Ｔ．３８ゲートウェイ４に送信し、音声接続型Ｔ．３８ゲートウェイ４がＧ３信号として公衆電話網（PSTN）６を介してＧ３−ファクシミリ装置７に送信する。Ｇ３−ファクシミリ装置７が応答信号（CED）を返すと、音声接続型Ｔ．３８ゲートウェイ４がＧ７１１に変換してＩＰ−ファクシミリ装置２に送信する。
【００３３】
以上の手順により、セッションが確立される。ここまでの処理は、イントラネット１内では全てＧ７１１の送受信によるものである。
【００３４】
セッション確立直後に、音声接続型Ｔ．３８ゲートウェイ４は、Ｔ．３８に係るInvite信号を、ＳＩＰサーバー３を介してＩＰ−ファクシミリ装置２に送信する。ＩＰ−ファクシミリ装置２及びＳＩＰサーバー３は、このInvite信号によってＴ．３８に対応したゲートウェイであることを知ることができる。言い換えると、Invite信号によって、Ｔ．３８方式の通信が指定される。（ゲートウェイのアドレス等によってＴ．３８に対応するか否かを表すデータをＳＩＰサーバー３に保持することもできるが、本実施例ではInvite信号によって定めるものとする。）
【００３５】
ＩＰ−ファクシミリ装置２がInviteを受ける信号（200 OK）を返し、音声接続型Ｔ．３８ゲートウェイ４が確認信号（ACK）を送信する。これにより、Ｔ．３８のセッションとなる。
【００３６】
以後、ＩＰ−ファクシミリ装置２がＴ．３８によりファクシミリを送信し、音声接続型Ｔ．３８ゲートウェイ４がＧ３に変換してＧ３−ファクシミリ装置７に送信する。ファクシミリ送信の処理中の手順の詳細は簡略化して（図に「ＦＡＸ」とのみ）示す。
【００３７】
ファクシミリの送信が完了すると、ＩＰ−ファクシミリ装置２は、ＳＩＰサーバー３を介して終了信号（BYE）を音声接続型Ｔ．３８ゲートウェイ４に送信する。音声接続型Ｔ．３８ゲートウェイ４がＳＩＰサーバー３を介して確認信号（200 OK）を返すことで、ファクシミリ通信が完了する。このとき、ＳＩＰサーバー３も、ファクシミリ通信の完了を知ることができる。
【００３８】
次に、ＶｏＩＰゲートウェイを介して発信する場合のファクシミリの処理を説明する。図３は、ＶｏＩＰゲートウェイを介して発信する場合のファクシミリの処理を示すシーケンス図である。
【００３９】
セッションが確立されるまでの処理は、音声接続型Ｔ．３８ゲートウェイを介する場合と同様である。イントラネット１内では全てＧ７１１の送受信によるものである。すなわち、ＩＰ−ファクシミリ装置２は、ゲートウェイが音声接続型Ｔ．３８ゲートウェイであってもＶｏＩＰゲートウェイであっても同一の処理を実行する。
【００４０】
セッション確立直後に、ＶｏＩＰゲートウェイ５は、Ｔ．３８に係るInvite信号を送信しない。ＩＰ−ファクシミリ装置２及びＳＩＰサーバー３は、Ｔ．３８に係るInvite信号の有無によって処理を替える。すなわち、Ｔ．３８に係るInvite信号の受信した場合にはＴ．３８による送受信に切換えるが、受信しない場合には切換えることなくＧ７１１による送受信を継続する。
【００４１】
以後、ＩＰ−ファクシミリ装置２がＧ７１１によりファクシミリを送信し、ＶｏＩＰゲートウェイ５がＧ３に変換してＧ３−ファクシミリ装置７に送信する。
【００４２】
ファクシミリの送信が完了した場合の手順も、音声接続型Ｔ．３８ゲートウェイを介する場合と同様である。
【００４３】
次に、ゲートウェイを介さずにＴ．３８−ファクシミリ装置８に発信する場合のファクシミリの処理を説明する。なお、図１においてイントラネット外にＴ．３８−ファクシミリ装置８を描いているが、イントラネット内のファクシミリ装置同士の送受信も同様である。
【００４４】
図４は、ゲートウェイを介さずにＴ．３８−ファクシミリ装置８に発信する場合のファクシミリの処理を示すシーケンス図である。
【００４５】
セッションを確立する処理に当たり、発信するＩＰ−ファクシミリ装置２がＳＩＰサーバー３を介してＴ．３８によるInvite信号をＴ．３８−ファクシミリ装置８に送信する。Ｔ．３８−ファクシミリ装置８がInviteを受ける信号（200 OK）を返し、ＩＰ−ファクシミリ装置２が確認信号（ACK）を送信する。ゲートウェイを介さずにＴ．３８のInvite信号を送信するものである。
【００４６】
セッション確立後は、ＩＰ−ファクシミリ装置２とＴ．３８−ファクシミリ装置８との間でＴ．３８によるファクシミリ送受信が行われる。
【００４７】
その後、ＳＩＰサーバー３を介して完了の処理が行われる。
【００４８】
以上のゲートウェイを介さずに発信する処理は、相手先がＴ．３８−ファクシミリ装置８であることを知ってはじめて実行できるものである。このため、発信相手先のファクシミリ装置毎のプロパティ情報をＳＩＰサーバー３（又はＩＰ−ファクシミリ装置２）に保持してもよい。プロパティ情報を利用して相手先のＴ．３８への対応の有無を知ることができる。相手先がＧ３−ファクシミリ装置７である場合には、音声接続型Ｔ．３８ゲートウェイ４とＶｏＩＰゲートウェイ５とのいずれかを利用することとなるが、相手先毎にいずれのゲートウェイを利用するかをプロパティ情報によって判断してもよい。
【００４９】
最後に、ＩＰ−ファクシミリ装置２に着信する場合の処理を説明する。図５は、音声接続型Ｔ．３８ゲートウェイを介して受信する場合のファクシミリの処理を示すシーケンス図である。着信の場合には、Ｇ３−ファクシミリ装置７がＧ３信号として公衆電話網（PSTN）６を介してＦＡＸ発信信号（CNG）を音声接続型Ｔ．３８ゲートウェイ４に送信し、音声接続型Ｔ．３８ゲートウェイ４が音声（Ｇ７１１）による信号に変換してＳＩＰサーバー３を介してＩＰ−ファクシミリ装置２に送信する。ＩＰ−ファクシミリ装置２が応答信号（CED）を返すと、音声接続型Ｔ．３８ゲートウェイ４がＧ３信号に変換してＧ３−ファクシミリ装置７に送信する。以上によりセッションが確立される。
【００５０】
セッション確立後の処理は、発信の場合（図２）と同様である。ただし、ＦＡＸ／Ｔ．３８の箇所で送信側と受信側が図２とは逆になる。
【００５１】
以上のとおり、受信時の処理は、セッション確立時においてＦＡＸ発信信号（CNG）と応答信号（CED）が逆向きに送受信される点を除き、発信時と同様になる。
【００５２】
これは、相手先がＶｏＩＰゲートウェイ５の場合、Ｔ．３８−ファクシミリ装置８の場合も同様である。すなわち、ＩＰ−ファクシミリ装置２及びＳＩＰサーバー３は、Ｔ．３８に係るInvite信号の有無によって処理を替える（送受信をＴ．３８によるかＧ７１１によるかを切換える）ことで、音声接続型Ｔ．３８ゲートウェイ４、ＶｏＩＰゲートウェイ５及びＴ．３８−ファクシミリ装置８のいずれからの着信にも対応することができる。
【００５３】
以上詳細に説明したように、本実施例のネットワーク通信装置（ＳＩＰサーバー３）によれば、Ｔ．３８に係るInvite信号の有無によって処理を替える（送受信をＴ．３８によるかＧ７１１によるかを切換える）ことにより、音声接続型Ｔ．３８ゲートウェイ４とＶｏＩＰゲートウェイ５との両方に対応することができる。また、外部のＴ．３８−ファクシミリ装置８にも対応することができる。
【産業上の利用可能性】
【００５４】
音声接続型Ｔ．３８ゲートウェイとＶｏＩＰゲートウィとの両方に対応するネットワーク通信装置である。多くの企業における利用が考えられる。
【符号の説明】
【００５５】
１    イントラネット
２    ＩＰ−ファクシミリ装置
３    ＳＩＰサーバー（ネットワーク通信装置）
４    音声接続型Ｔ．３８ゲートウェイ
５    ＶｏＩＰゲートウェイ
６    公衆電話網
７    Ｇ３−ファクシミリ装置
８    Ｔ．３８−ファクシミリ装置
【図１】
2017158036.tif 000003
【図２】
2017158036.tif 000004
【図３】
2017158036.tif 000005
【図４】
2017158036.tif 000006
【図５】
2017158036.tif 000007